(57)【要約】      （修正有）【課題】可動式収容ユニットを上方に付勢する付勢力の設計自由度を確保するとともに、可動式収容ユニットの操作部を各種作業の邪魔にならず且つ操作し易い位置に位置させることが可能な収容ラックおよび可動式収容ユニットを提供する。【解決手段】下側物品支持部２３を有したラック本体２０と、ラック本体２０の上方に設置され上側物品支持部を有した可動式収容ユニット３０とを備え、ラック本体２０に上下に揺動可能に取り付けられるスイングアーム４０と、スイングアーム４０に上下に揺動可能に取り付けられる操作アーム５０と、付勢手段６０とを有し、操作アーム５０は、操作アーム５０を下方に移動させた際に、ラック本体２０に設けられた下側被ロック部２４に対して下方から係合可能な下側ロック部５２を有する収容ラック１０。【選択図】図１
2017074219.tif 000002
【特許請求の範囲】
【請求項１】
被収容物品を支持する下側物品支持部を有したラック本体と、前記ラック本体の上方に設置され、被収容物品を支持する上側物品支持部を有した可動式収容ユニットとを備える収容ラックであって、
前記可動式収容ユニットは、前記ラック本体に上下に揺動可能に取り付けられ前記上側物品支持部を有したスイングアームと、前記スイングアームに上下に揺動可能に取り付けられる操作アームと、前記スイングアームを上方に向けて付勢する付勢手段とを有し、
前記操作アームは、前記操作アームを下方に移動させた際に、前記ラック本体に設けられた下側被ロック部に対して、下方から係合可能な下側ロック部を有することを特徴とする収容ラック。
【請求項２】
前記スイングアームまたは前記操作アームの少なくとも一方には、前記スイングアームに対する前記操作アームの揺動角度を規制する角度規制部が設けられていることを特徴とする請求項１に記載の収容ラック。
【請求項３】
前記スイングアームは、その自由端側に、水平方向に沿って延び前記上側物品支持部として機能する上側物品支持フレームを有し、
前記操作アームは、前記上側物品支持フレームに一端が揺動可能に取り付けられる一対の側方フレームと、前記一対の側方フレームの他端間を接続し前記下側ロック部として機能する下側ロックフレームとを有していることを特徴とする請求項１または請求項２に記載の収容ラック。
【請求項４】
前記スイングアームは、前記ラック本体に対して着脱可能に取り付けられる補助部材を介して、前記ラック本体に取り付けられていることを特徴とする請求項１乃至請求項３のいずれかに記載の収容ラック。
【請求項５】
前記ラック本体と前記スイングアームとの間には、前記スイングアームの下方への揺動範囲を規制する規制ベルトが取り付けられていることを特徴とする請求項１乃至請求項４のいずれかに記載の収容ラック。
【請求項６】
被収容物品を支持する下側物品支持部を有したラック本体の上方に設置され、被収容物品を支持する上側物品支持部を有した可動式収容ユニットであって、
前記ラック本体に上下に揺動可能に取り付けられ前記上側物品支持部を有したスイングアームと、前記スイングアームに上下に揺動可能に取り付けられる操作アームと、前記スイングアームを上方に向けて付勢する付勢手段とを備え、
前記操作アームは、前記操作アームを下方に移動させた際に、前記ラック本体に形成された下側被ロック部に対して、下方から係合可能な下側ロック部を有することを特徴とする可動式収容ユニット。
【発明の詳細な説明】
【技術分野】
【０００１】
本発明は、被収容物品を収容する収容ラックおよび可動式収容ユニットに関し、特に、ハンガーに掛けられた衣服を吊り下げて収容する収容ラックおよび可動式収容ユニットに関する。
【背景技術】
【０００２】
一般に、被収容物品を収容する収容ラックとして、限られた設置面積により多くの被収容物品を収容するために、図５に示すように、収容ラック１１０の上下方向に複数の物品支持部１２３を設け、上下方向に多段（図５に示す例では３段）に被収容物品Ｗを収容可能な収容ラック１１０が知られている。
【０００３】
ところが、このような収容ラック１１０では、単位面積辺りの被収容物品Ｗの収容数を増加させるために、収容ラック１１０の高さを高く設定すると、上側の段（図５に示す例では３段目）に収容された被収容物品Ｗに作業者の手が届かなくなり、図５に示すように、昇降台Ｓを使用する必要が生じることがある。そして、このような昇降台Ｓを使用した場合、作業者が昇降台Ｓから脱落する等の事故が起きる可能性があり、また、昇降台Ｓ上では一度に多くの被収容物品Ｗを取り扱うことができない等、作業効率が低下するという問題があった。
【０００４】
そこで、上述した問題を解決する案として、収容ラックの上側に、特許文献１に記載されるような上下動可能な可動式収容ユニット（昇降棚装置）を設置し、被収容物品の入れ替え等の各種作業を行う際に、作業者が可動式収容ユニットを手動で上下動させることにより、可動式収容ユニットに収容された被収容物品についても、昇降台等を使用することなく、作業者が床上に立った状態で取り扱うことを可能にすることが考えられる。
【０００５】
この特許文献１に記載の可動式収容ユニット（昇降棚装置）は、物品支持用の棚板を上下動可能に支持する左右一対の平行リンクと、これら平行リンクを上方に向けて付勢するスプリングと、平行リンクの下端付近に設けられた上げ下ろし用操作杆とを備えている。
【先行技術文献】
【特許文献】
【０００６】
【特許文献１】特開平１０−１９２０６６号公報
【発明の概要】
【発明が解決しようとする課題】
【０００７】
ところが、特許文献１に記載される可動式収容ユニットでは、作業者による可動式収容ユニットの手動による持ち上げを補助するために、平行リンクを上方に向けて付勢するスプリングを設けているが、このスプリングの付勢力を強めに設定すると、可動式収容ユニットを下方に移動させて被収容物品の入れ替え等の各種作業を行っている最中に、スプリングの付勢力によって可動式収容ユニットが上方に移動してしまうことになるため、この点で、スプリングの付勢力の強さに設計上の制約があるという問題があった。
【０００８】
また、可動式収容ユニットを上方に移動させた状態および下方に移動させた状態のいずれの状態においても、可動式収容ユニットを上下動させる際に作業者が把持する上げ下ろし用操作杆を、各種作業の邪魔にならず且つ操作し易い位置に位置させることが望まれるが、特許文献１に記載される可動式収容ユニットでは、上げ下ろし用操作杆の位置および軌跡が平行リンクの構成によって規定されることになることになるため、上げ下ろし用操作杆を最適な位置に位置させることが難しいという問題もある。
【０００９】
そこで、本発明は、これらの問題点を解決するものであり、可動式収容ユニットを上方に付勢する付勢力の設計自由度を確保するとともに、可動式収容ユニットの操作部を各種作業の邪魔にならず且つ操作し易い位置に位置させることが可能な収容ラックおよび可動式収容ユニットを提供することを目的とするものである。
【課題を解決するための手段】
【００１０】
本発明の収容ラックは、被収容物品を支持する下側物品支持部を有したラック本体と、前記ラック本体の上方に設置され、被収容物品を支持する上側物品支持部を有した可動式収容ユニットとを備える収容ラックであって、前記可動式収容ユニットは、前記ラック本体に上下に揺動可能に取り付けられ前記上側物品支持部を有したスイングアームと、前記スイングアームに上下に揺動可能に取り付けられる操作アームと、前記スイングアームを上方に向けて付勢する付勢手段とを有し、前記操作アームは、前記操作アームを下方に移動させた際に、前記ラック本体に設けられた下側被ロック部に対して、下方から係合可能な下側ロック部を有することにより、前記課題を解決するものである。
本発明の可動式収容ユニットは、被収容物品を支持する下側物品支持部を有したラック本体の上方に設置され、被収容物品を支持する上側物品支持部を有した可動式収容ユニットであって、前記ラック本体に上下に揺動可能に取り付けられ前記上側物品支持部を有したスイングアームと、前記スイングアームに上下に揺動可能に取り付けられる操作アームと、前記スイングアームを上方に向けて付勢する付勢手段とを備え、前記操作アームは、前記操作アームを下方に移動させた際に、前記ラック本体に形成された下側被ロック部に対して、下方から係合可能な下側ロック部を有することにより、前記課題を解決するものである。
【発明の効果】
【００１１】
本請求項１、６に係る発明によれば、被収容物品を支持する上側物品支持部を有したスイングアームが、ラック本体に上下に揺動可能に取り付けられていることにより、必要に応じて上側物品支持部を上下動させることで、昇降台を利用することなく、被収容物品の入れ替え等の各種作業を容易かつ安全に達成できるばかりでなく、以下に記載する効果を奏する。
すなわち、ラック本体の下側被ロック部に対して下方から係合可能な下側ロック部を操作アームに設けることにより、スイングアームを上方に向けて付勢する付勢手段の付勢力を強く設計した場合であっても、当該付勢力によってスイングアームが不用意に持ち上がることを防止することが可能であるため、付勢力の設計自由度を確保することができる。これにより、上側物品支持部に被収容物品を支持させた状態でも、スイングアームを上方に向けて移動させる強さで付勢力を設定する等、作業者による可動式収容ユニットの持ち上げを良好に補助することができる。
また、スイングアームに対して操作アームを上下に揺動可能に取り付けることにより、スイングアームの位置とは別に、操作アームの位置を自由に決定することが可能であるため、可動式収容ユニットを上方に移動させた状態および下方に移動させた状態のいずれの状態においても、操作アーム（可動式収容ユニットの操作部）を各種作業の邪魔にならず且つ操作し易い位置に位置させることができる。
さらに、操作アームの下側ロック部をラック本体の下側被ロック部に対して下方から係合させるように構成することにより、下側被ロック部に対する下側ロック部のロックを解除する際に、上側物品支持部に置かれた被収容物品の重量を利用して、操作アームを下方に移動させ易くすることが可能であるため、大きな力を必要とすることなく、容易にロックを解除することができ、また、付勢手段によってスイングアームを上方に向けて付勢することにより、下側被ロック部に対する下側ロック部の係合が不用意に解除されることを回避できる。
【００１２】
本請求項２に係る発明によれば、スイングアームまたは操作アームの少なくとも一方に角度規制部を設けることにより、可動式収容ユニットを上方に移動させた際に、角度規制部によってスイングアームに対する操作アームの揺動角度を規制し、被収容物品の入れ替え等の各種作業の邪魔にならない位置に操作アームを確実に位置させることができる。
本請求項３に係る発明によれば、スイングアームが、上側物品支持部として機能する上側物品支持フレームを有し、操作アームが、スイングアームの上側物品支持フレームに一端が揺動可能に取り付けられる一対の側方フレームと、一対の側方フレームの他端間を接続し下側ロック部として機能する下側ロックフレームとを有していることにより、上側物品支持部や下側物品支持部に支持された被収容物品に操作アームが干渉することを回避しつつ、作業者による下側ロックフレームの把持や下側被ロック部に対する下側ロックフレームの係合等の各種動作を容易かつ確実に行うことができる。
本請求項４に係る発明によれば、スイングアームが、ラック本体に対して着脱可能に取り付けられる補助部材を介して、ラック本体に取り付けられていることにより、既設のラック本体に対して、可動式収容ユニットを追加設置することができるばかりでなく、収容ラックの設置環境や被収容物品のサイズ等の諸条件に応じて、ラック本体に対するスイングアームの取り付け位置を自由に設定することができる。
本請求項５に係る発明によれば、ラック本体とスイングアームとの間に規制ベルトを取り付けることにより、上側物品支持部を有したスイングアームの下方への揺動範囲を規制し、下側物品支持部に支持された被収容物品と上側物品支持部に支持された被収容物品とが干渉することを回避できるとともに、作業者の作業スペースを確実に確保することができる。また、スイングアームよりも上方に規制ベルトを取り付けることにより、規制ベルトが作業者の作業を阻害することを防止できる。
【図面の簡単な説明】
【００１３】
【図１】本発明の一実施形態に係る収容ラックの使用例を示す説明図。
【図２】収容ラックを示す側面図。
【図３】可動式収容ユニットの動作を説明する説明図。
【図４】収容ラックの使用例を示す正面側から見て示す説明図。
【図５】参考例である収容ラックの使用例を示す説明図。
【発明を実施するための形態】
【００１４】
以下に、本発明の一実施形態に係る収容ラック１０について、図面に基づいて説明する。
【００１５】
まず、収容ラック１０は、ハンガーに掛けられた衣服等の被収容物品Ｗを吊り下げて収容するものであり、図１に示すように、ラック本体２０と、ラック本体２０の上方に設置された可動式収容ユニット３０とから構成されている。
【００１６】
ラック本体２０は、図１〜図４に示すように、複数のフレームを組み立てることで構成され、複数の被収容物品Ｗを上下二段で収容するものである。具体的には、ラック本体２０は、図２〜図４に示すように、水平方向に離間して配置された２本の上下方向フレーム２１と、各上下方向フレーム２１から収容ラック１０の前面側に向けて延びる上下２本（計４本）の横フレーム２２と、水平方向に離間した各横フレーム２２の前端を水平方向に連結する上下２本の下側物品支持フレーム２３とを有している。各下側物品支持フレーム２３は、被収容物品Ｗとしての衣服が掛けられたハンガーを吊り下げて支持する下側物品支持部として機能する。
【００１７】
また、上下２本の下側物品支持フレーム２３のうち、下方の下側物品支持フレーム２３には、図１〜図４に示すように、水平方向に互いに離間した２つの下側被ロックフレーム２４が取り付けられている。これら下側被ロックフレーム２４は、その先端部が下方に向けてフック状に曲げられており、後述する操作アーム５０を下方に移動させた際に、操作アーム５０を下方から係合させる下側被ロック部として機能する。
【００１８】
可動式収容ユニット３０は、図１〜図４に示すように、水平方向に延び２本の上下方向フレーム２１の上部に取り付けられる上下２本の補助フレーム３１と、補助フレーム３１に連結される支柱３２と、支柱３２に第１水平軸Ａ１を中心として上下に揺動可能に取り付けられるスイングアーム４０と、スイングアーム４０の先端に第２水平軸Ａ２を中心として上下に揺動可能に取り付けられる操作アーム５０と、スイングアーム４０を上方に向けて付勢する付勢手段としてのガススプリング６０と、ラック本体２０とスイングアーム４０との間に設けられスイングアーム４０の下方への揺動範囲を規制する規制ベルト７０とを有している。
なお、図３においては、操作アーム５０を図示していない。
【００１９】
補助フレーム３１は、上下方向フレーム２１に、その上下方向の高さを調整可能であるように、着脱可能に取り付けられる。
【００２０】
スイングアーム４０は、図１〜図３に示すように、Ｌ字状に屈曲して形成され、その自由端側に、水平方向に沿って延びる上側物品支持フレーム４１を有している。この上側物品支持フレーム４１は、被収容物品Ｗとしての衣服が掛けられたハンガーを吊り下げて支持する上側物品支持部として機能する。
【００２１】
また、スイングアーム４０には、図２に示すように、上側ロック部４２が設けられており、この上側ロック部４２は、スイングアーム４０を上方に移動させた際に、支柱３２の上方に設けられた上側被ロック部３３に自動的に係合するように構成されている。この上側被ロック部３３は、水平軸を中心として支柱３２に揺動可能に取り付けられているとともに、スプリング等から成るロック用付勢手段３３ａによって付勢されている。
【００２２】
操作アーム５０は、コ字状に形成され、図４に示すように、その一端がスイングアーム４０の上側物品支持フレーム４１に揺動可能に取り付けられる一対の側方フレーム５１と、一対の側方フレーム５１の他端間を水平方向に接続する下側ロックフレーム５２とを有している。この下側ロックフレーム５２は、図１に示すように、操作アーム５０を下方に移動させた際に、下側被ロックフレーム２４に対して下方から係合可能な下側ロック部として機能する。また、下側ロックフレーム５２は、操作アーム５０を下方に引き下ろす際に、作業者が把持する部位としても機能する。
【００２３】
スイングアーム４０または操作アーム５０の少なくとも一方には、スイングアーム４０に対する操作アーム５０の揺動角度を規制する角度規制部（図示しない）が設けられている。これにより、図１や図２に示すように、スイングアーム４０を上方に移動させた際に、角度規制部（図示しない）によってスイングアーム４０に対する操作アーム５０の揺動角度を規制し、各種作業の邪魔にならない位置に操作アーム５０を位置させることができる。
【００２４】
ガススプリング６０は、支柱３２に第３水平軸Ａ３を中心として揺動可能に取り付けられ、スイングアーム４０を上方に向けて付勢するものである。このガススプリング６０は、緩衝用ダンパーとしても機能する。
【００２５】
規制ベルト７０は、網目状の繊維ベルトから成り、スイングアーム４０の下方への揺動範囲を規制するとともに、衝撃を緩和する効果も奏する。規制ベルト７０は、図１や図３から分かるように、スイングアーム４０の揺動軸である第１水平軸Ａ１よりも上方において、その一端が、補助フレーム３１や支柱３２を介してラック本体２０の上部に取り付けられるとともに、その他端が、スイングアーム４０に取り付けられる。
【００２６】
次に、収容ラック１０の使用方法について、図１〜図４に基づいて以下に説明する。以下では、可動式収容ユニット３０の上側物品支持フレーム４１に支持された被収容物品Ｗを、他の被収容物品Ｗに入れ替える際の手順について説明する。また、図１、図３、および図４では、可動式収容ユニット３０を上方に移動させた状態および下方に移動させた状態の両方の状態および軌跡を示している。
【００２７】
まず、作業者は、操作アーム５０の下側ロックフレーム５２を把持し、ガススプリング６０の付勢力に抗して、可動式収容ユニット３０を下方に引き下ろす。
この時、スイングアーム４０の上側ロック部４２と支柱３２の上側被ロック部３３との間の係合は、ロック用付勢手段３３ａの付勢力に抗して、自動的に解除される。
【００２８】
次に、作業者は、下側被ロックフレーム２４に対して操作アーム５０の下側ロックフレーム５２を下方から係合させる。
【００２９】
次に、作業者は、下側被ロックフレーム２４に下側ロックフレーム５２が係合し、可動式収容ユニット３０が下方位置でロックされた状態で、上側物品支持フレーム４１に支持された被収容物品Ｗを、他の被収容物品Ｗに入れ替える。
【００３０】
次に、作業者は、操作アーム５０を下方に下げて、下側被ロックフレーム２４に対する下側ロックフレーム５２の係合を解除した後、操作アーム５０およびスイングアーム４０を上方に持ち上げる。
【００３１】
最後に、作業者は、操作アーム５０およびスイングアーム４０を上方に持ち上げることで、スイングアーム４０の上側ロック部４２と支柱３２の上側被ロック部３３とを自動的に係合させて、可動式収容ユニット３０を上方位置でロックする。
【００３２】
以上、本発明の実施形態を詳述したが、本発明は上記実施形態に限定されるものではなく、特許請求の範囲に記載された本発明を逸脱することなく種々の設計変更を行なうことが可能である。
【００３３】
例えば、上述した実施形態では、被収容物品が、ハンガーに掛けられた衣服であるものとして説明したが、被収容物品の具体的態様はこれに限定されない。
また、上述した実施形態では、各物品支持部によって被収容物品が吊り下げられて支持されるものとして説明したが、各物品支持部の具体的態様はこれに限定されず、例えば、物品支持部を棚として構成し、物品支持部として機能する棚の上に被収容物品を載せて支持してもよい。
また、上述した実施形態では、ラック本体が、被収容物品を上下二段で収容するものとして説明したが、ラック本体による被収容物品の収容態様は上記に限定されない。
また、上述した実施形態では、下側物品支持フレームに取り付けられた下側被ロックフレームが下側被ロック部として機能するものとして説明したが、下側被ロック部の具体的態様は、操作アームを下方に移動させた際に、操作アームを下方から係合させるものであれば如何なるものでもよい。
また、上述した実施形態では、スイングアームを上方に向けて付勢する付勢手段をガススプリングから構成したが、当該付勢手段の具体的態様については上記に限定されず、例えば、コイルスプリングから構成してもよく、また、付勢手段の付勢力については、実施形態に応じて強さを自由に設定すればよい。
【符号の説明】
【００３４】
１０    ・・・  収容ラック
２０    ・・・  ラック本体
２１    ・・・  上下方向フレーム
２２    ・・・  横フレーム
２３    ・・・  下側物品支持フレーム（下側物品支持部）
２４    ・・・  下側被ロックフレーム（下側被ロック部）
３０    ・・・  可動式収容ユニット
３１    ・・・  補助フレーム（補助部材）
３２    ・・・  支柱
３３    ・・・  上側被ロック部
３３ａ  ・・・  ロック用付勢手段
４０    ・・・  スイングアーム
４１    ・・・  上側物品支持フレーム（上側物品支持部）
４２    ・・・  上側ロック部
５０    ・・・  操作アーム
５１    ・・・  側方フレーム
５２    ・・・  下側ロックフレーム（下側ロック部）
６０    ・・・  ガススプリング（付勢手段）
７０    ・・・  規制ベルト
Ｗ      ・・・  被収容物品
Ａ１    ・・・  第１水平軸
Ａ２    ・・・  第２水平軸
Ａ３    ・・・  第３水平軸
【図１】
2017074219.tif 000003
【図２】
2017074219.tif 000004
【図３】
2017074219.tif 000005
【図４】
2017074219.tif 000006
【図５】
2017074219.tif 000007